(57)【特許請求の範囲】
【請求項１】
手持ちロッドを含み、前記手持ちロッドの中には切り換え構造が設置され、前記切り換え構造は前記手持ちロッドの中に設置された歯車空間を含み、前記歯車空間の中にはスライド歯車と、切り換え歯車と、従動歯車とが回転できるように設置され、前記スライド歯車が下側に位置しており、前記従動歯車が上側に位置しており、前記切り換え歯車が前記スライド歯車と前記従動歯車との間に位置しており、前記スライド歯車が前記切り換え歯車と噛み合っており、前記従動歯車が前記切り換え歯車と噛み合っており、前記歯車空間の後側内壁にはばね溝が前記歯車空間と連通するように形成され、前記ばね溝の中には支持ロッドがスライドできるように設置され、前記支持ロッドの中には前方に開口した連結溝が前記支持ロッドを上下に貫通するように形成され、前記切り換え歯車が前記連結溝の中に位置しており、前記切り換え歯車の中には支持回転軸が固定的に連結され、前記支持回転軸の左右両端が前記支持ロッドに回転できるように連結され、
前記スライド歯車の左端には駆動軸が固定的に連結され、前記駆動軸の左端には駆動モーターが伝動できるように連結され、前記歯車空間の左側内壁には連通溝が前記歯車空間と連通するように形成され、前記連通溝の左側内壁には左方に開口したガイドスライド溝が前記連通溝と連通するように形成され、前記ガイドスライド溝の中には手動板がスライドできるように設置され、前記駆動モーターが前記手動板の中に固定的に設置され、
前記手持ちロッドの右端には固定ブロックが固定的に連結され、前記固定ブロックの中には通気構造が設置され、前記通気構造は前記固定ブロックに設置された空き空間を含み、前記空き空間の中には連結板が回転できるように設置され、前記連結板の右端には連結ロッドが固定的に連結され、前記連結ロッドの右端にはポンプが固定的に連結され、前記ポンプの右端には旋転管が連結され、前記旋転管の右端にはろ過板が連結され、前記ろ過板の右端には気体ノズルが固定的に連結され、前記気体ノズルの右端が前記固定ブロックの外部に延びており、前記気体ノズルの中には貫通穴が前記気体ノズルを左右に貫通するように設置され、
前記連結板の左端と前記従動歯車との間には旋転軸が連結されていることを特徴とする情報伝達インターフェース用除塵装置。
【請求項２】
前記支持ロッドの後端と前記ばね溝の後側内壁との間には圧縮ばねが固定的に連結されていることを特徴とする請求項１に記載の情報伝達インターフェース用除塵装置。
【請求項３】
前記固定ブロックには固定板が回転できるように連結され、前記固定板の右端には四つの吸盤が固定的に連結され、前記吸盤の中には右方に開口した吸盤空間が設置され、前記吸盤の左端には連結管が連結され、前記連結管の左端が前記空き空間の中に延びており、前記連結管の左端にはバルブが固定的に連結されていることを特徴とする請求項１に記載の情報伝達インターフェース用除塵装置。
【請求項４】
前記バルブが前記ポンプに通電できるように連結されていることを特徴とする請求項３に記載の情報伝達インターフェース用除塵装置。
【発明の詳細な説明】
【技術分野】
【０００１】
本発明は情報技術分野を取り上げて、具体的には情報伝達インターフェース用除塵装置である。
【背景技術】
【０００２】
情報伝達インターフェースはコンピューター本体と各種周辺装置とを接続する連結口であり、情報伝達インターフェースで外部電子装置はコンピューターとアップロードやダウンロードおよびデータ同期機能を実現でき、一般的な情報伝達インターフェースはＵＳＢインターフェースであり、情報伝達ＵＳＢインターフェースが開放されているため、長時間経過するとインターフェースに埃がたまり、情報伝達速度に大きな影響を与え、また、ＵＳＢインターフェースが小さく、洗浄しにくく、本願発明は上記問題を解決できる情報伝達インターフェース用除塵装置を開示する。
【先行技術文献】
【特許文献】
【０００３】
【特許文献１】中国特許出願公開第１０７２１４１４５号明細書
【発明の概要】
【発明が解決しようとする課題】
【０００４】
本発明の目的は情報伝達インターフェース用除塵装置を提供し、それは上記の現在の技術中の問題を解決できる。
【課題を解決するための手段】
【０００５】
本願発明の情報伝達インターフェース用除塵装置は、手持ちロッドを含み、前記手持ちロッドの中には切り換え構造が設置され、前記切り換え構造は前記手持ちロッドの中に設置された歯車空間を含み、前記歯車空間の中にはスライド歯車と、切り換え歯車と、従動歯車とが回転できるように設置され、前記スライド歯車が下側に位置しており、前記従動歯車が上側に位置しており、前記切り換え歯車が前記スライド歯車と前記従動歯車との間に位置しており、前記スライド歯車が前記切り換え歯車と噛み合っており、前記従動歯車が前記切り換え歯車と噛み合っており、前記歯車空間の後側内壁にはばね溝が前記歯車空間と連通するように形成され、前記ばね溝の中には支持ロッドがスライドできるように設置され、前記支持ロッドの中には前方に開口した連結溝が前記支持ロッドを上下に貫通するように形成され、前記切り換え歯車が前記連結溝の中に位置しており、前記切り換え歯車の中には支持回転軸が固定的に連結され、前記支持回転軸の左右両端が前記支持ロッドに回転できるように連結され、前記スライド歯車の左端には駆動軸が固定的に連結され、前記駆動軸の左端には駆動モーターが伝動できるように連結され、前記歯車空間の左側内壁には連通溝が前記歯車空間と連通するように形成され、前記連通溝の左側内壁には左方に開口したガイドスライド溝が前記連通溝と連通するように形成され、前記ガイドスライド溝の中には手動板がスライドできるように設置され、前記駆動モーターが前記手動板の中に固定的に設置され、前記駆動モーターを始動し、前記駆動軸により前記スライド歯車を回転させ、前記切り換え歯車を回転させ、前記従動歯車を回転させ、前記駆動モーターを止めて手動で上方へ前記手動板を押し、前記駆動モーターと前記駆動軸とにより前記スライド歯車を上方へスライドさせ、前記切り換え歯車と前記支持ロッドとを押して後ろへスライドさせ、前記切り換え歯車と前記従動歯車とを噛合から離脱させ、この時前記スライド歯車が前記従動歯車と噛み合い、この時前記駆動モーターを始動し、前記駆動軸により前記スライド歯車を回転させ、前記従動歯車を回転させ、この時前記従動歯車の回転方向が逆であり、前記手持ちロッドの右端には固定ブロックが固定的に連結され、前記固定ブロックの中には通気構造が設置され、前記通気構造は前記固定ブロックに設置された空き空間を含み、前記空き空間の中には連結板が回転できるように設置され、前記連結板の右端には連結ロッドが固定的に連結され、前記連結ロッドの右端にはポンプが固定的に連結され、前記ポンプの右端には旋転管が連結され、前記旋転管の右端にはろ過板が連結され、前記ろ過板の右端には気体ノズルが固定的に連結され、前記気体ノズルの右端が前記固定ブロックの外部に延びており、前記気体ノズルの右端がＵＳＢインターフェースの中に挿入されることができ、前記気体ノズルがＵＳＢインターフェース内の電気部品を壊すことを避けるために、前記気体ノズルの断面がＵＳＢインターフェースの断面より小さく、前記気体ノズルの中には貫通穴が前記気体ノズルを左右に貫通するように設置され、前記ポンプを始動し、前記旋転管と、前記ろ過板と、前記貫通穴とによりＵＳＢインターフェースに噴気し、ＵＳＢインターフェース内の埃を吹きて落とし、前記ポンプを逆方向に始動し、前記ポンプと、前記ろ過板と前記貫通穴とによりＵＳＢインターフェースから吸気することにより、ＵＳＢインターフェース内の埃を前記貫通穴の中に吸引して前記ろ過板に付着させ、前記連結板の左端と前記従動歯車との間には旋転軸が連結され、前記切り換え歯車が前記従動歯車と噛み合うとき、前記ポンプが噴気に使用され、前記スライド歯車が前記従動歯車と噛み合うとき、前記ポンプが吸気に使用される。
【０００６】
有益的には、前記支持ロッドの後端と前記ばね溝の後側内壁との間には圧縮ばねが固定的に連結され、前記手動板を上方へスライドさせ、前記駆動モーターと、前記駆動軸とにより前記スライド歯車を上方へスライドさせ、前記切り換え歯車と前記支持ロッドとを押して後ろへスライドさせて前記圧縮ばねを圧縮し、前記手動板を下方へスライドさせるとき、前記圧縮ばねの弾力作用により前記支持ロッドと前記切り換え歯車とを押して前方へスライドさせ、前記切り換え歯車と前記従動歯車とを改めて噛み合わせる。
【０００７】
有益的には、前記固定ブロックには固定板が回転できるように連結され、前記固定板の右端には四つの吸盤が固定的に連結され、前記吸盤の中には右方に開口した吸盤空間が設置され、前記吸盤の左端には連結管が連結され、前記連結管の左端が前記空き空間の中に延びており、前記連結管の左端にはバルブが固定的に連結され、四つの前記吸盤をＵＳＢインターフェースの周りの壁に貼り付け、前記気体ノズルがＵＳＢインターフェースの中に延びた後、前記ポンプを始動し、前記バルブと前記連結管とにより前記吸盤空間の中の空気を吸い出し、前記吸盤を壁に貼り付けて前記固定板と前記固定ブロックとを固定する。
【０００８】
有益的には、前記バルブが前記ポンプに通電できるように連結され、前記ポンプが旋転しないとき、前記ポンプが始動されて前記バルブと前記ポンプとを連結し、前記吸盤がＵＳＢインターフェースの周りの壁に貼り付けられるまで、前記ポンプが前記バルブと前記連結管とにより前記吸盤空間の中から吸気し、前記ポンプが前記バルブと前記連結管とにより前記吸盤空間の中に気体を入れることにより前記吸盤をＵＳＢインターフェースの周りの壁から離脱させ、このとき前記気体ノズルをＵＳＢインターフェース内から取り出すことができる。
【発明の効果】
【０００９】
本願発明はＵＳＢインターフェースに対して回転噴気で埃を除去し、ＵＳＢインターフェース内の電気部品と直接に接触することを避け、ＵＳＢインターフェースを壊すことも避け、また、手動で吸気方式に早く切り換えることができ、ＵＳＢインターフェース内の埃を早く吸引し、ＵＳＢインターフェースに対する除塵効率を高める。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本願発明の情報伝達インターフェース用除塵装置の全体構造概略図
【図２】図２は図１のＡの拡大概略図
【図３】図３は図１のＢ―Ｂ方向の構造概略図
【図４】図４は図１のＣの拡大概略図
【図５】図５は図４のＤ―Ｄ方向の構造概略図
【発明を実施するための形態】
【００１２】
本願発明の情報伝達インターフェース用除塵装置は、手持ちロッド１１を含み、前記手持ちロッド１１の中には切り換え構造１００が設置され、前記切り換え構造１００は前記手持ちロッド１１の中に設置された歯車空間１３を含み、前記歯車空間１３の中にはスライド歯車１２と、切り換え歯車２１と、従動歯車１７とが回転できるように設置され、前記スライド歯車１２が下側に位置しており、前記従動歯車１７が上側に位置しており、前記切り換え歯車２１が前記スライド歯車１２と前記従動歯車１７との間に位置しており、前記スライド歯車１２が前記切り換え歯車２１と噛み合っており、前記従動歯車１７が前記切り換え歯車２１と噛み合っており、前記歯車空間１３の後側内壁にはばね溝２６が前記歯車空間１３と連通するように形成され、前記ばね溝２６の中には支持ロッド２４がスライドできるように設置され、前記支持ロッド２４の中には前方に開口した連結溝２２が前記支持ロッド２４を上下に貫通するように形成され、前記切り換え歯車２１が前記連結溝２２の中に位置しており、前記切り換え歯車２１の中には支持回転軸２３が固定的に連結され、前記支持回転軸２３の左右両端が前記支持ロッド２４に回転できるように連結され、前記スライド歯車１２の左端には駆動軸１４が固定的に連結され、前記駆動軸１４の左端には駆動モーター１５が伝動できるように連結され、前記歯車空間１３の左側内壁には連通溝１９が前記歯車空間１３と連通するように形成され、前記連通溝１９の左側内壁には左方に開口したガイドスライド溝２０が前記連通溝１９と連通するように形成され、前記ガイドスライド溝２０の中には手動板１６がスライドできるように設置され、前記駆動モーター１５が前記手動板１６の中に固定的に設置され、前記駆動モーター１５を始動し、前記駆動軸１４により前記スライド歯車１２を回転させ、前記切り換え歯車２１を回転させ、前記従動歯車１７を回転させ、前記駆動モーター１５を止めて手動で上方へ前記手動板１６を押し、前記駆動モーター１５と前記駆動軸１４とにより前記スライド歯車１２を上方へスライドさせ、前記切り換え歯車２１と前記支持ロッド２４とを押して後ろへスライドさせ、前記切り換え歯車２１と前記従動歯車１７とを噛合から離脱させ、この時前記スライド歯車１２が前記従動歯車１７と噛み合い、この時前記駆動モーター１５を始動し、前記駆動軸１４により前記スライド歯車１２を回転させ、前記従動歯車１７を回転させ、この時前記従動歯車１７の回転方向が逆であり、前記手持ちロッド１１の右端には固定ブロック３７が固定的に連結され、前記固定ブロック３７の中には通気構造１０１が設置され、前記通気構造１０１は前記固定ブロック３７に設置された空き空間４０を含み、前記空き空間４０の中には連結板２７が回転できるように設置され、前記連結板２７の右端には連結ロッド２８が固定的に連結され、前記連結ロッド２８の右端にはポンプ２９が固定的に連結され、前記ポンプ２９の右端には旋転管３９が連結され、前記旋転管３９の右端にはろ過板３８が連結され、前記ろ過板３８の右端には気体ノズル３６が固定的に連結され、前記気体ノズル３６の右端が前記固定ブロック３７の外部に延びており、前記気体ノズル３６の右端がＵＳＢインターフェースの中に挿入されることができ、前記気体ノズル３６がＵＳＢインターフェース内の電気部品を壊すことを避けるために、前記気体ノズル３６の断面がＵＳＢインターフェースの断面より小さく、前記気体ノズル３６の中には貫通穴３５が前記気体ノズル３６を左右に貫通するように設置され、前記ポンプ２９を始動し、前記旋転管３９と、前記ろ過板３８と、前記貫通穴３５とによりＵＳＢインターフェースに噴気し、ＵＳＢインターフェース内の埃を吹きて落とし、前記ポンプ２９を逆方向に始動し、前記ポンプ２９と、前記ろ過板３８と前記貫通穴３５とによりＵＳＢインターフェースから吸気することにより、ＵＳＢインターフェース内の埃を前記貫通穴３５の中に吸引して前記ろ過板３８に付着させ、前記連結板２７の左端と前記従動歯車１７との間には旋転軸１８が連結され、前記切り換え歯車２１が前記従動歯車１７と噛み合うとき、前記ポンプ２９が噴気に使用され、前記スライド歯車１２が前記従動歯車１７と噛み合うとき、前記ポンプ２９が吸気に使用される。
【００１３】
有益的には、前記支持ロッド２４の後端と前記ばね溝２６の後側内壁との間には圧縮ばね２５が固定的に連結され、前記手動板１６を上方へスライドさせ、前記駆動モーター１５と、前記駆動軸１４とにより前記スライド歯車１２を上方へスライドさせ、前記切り換え歯車２１と前記支持ロッド２４とを押して後ろへスライドさせて前記圧縮ばね２５を圧縮し、前記手動板１６を下方へスライドさせるとき、前記圧縮ばね２５の弾力作用により前記支持ロッド２４と前記切り換え歯車２１とを押して前方へスライドさせ、前記切り換え歯車２１と前記従動歯車１７とを改めて噛み合わせる。
【００１４】
有益的には、前記固定ブロック３７には固定板３２が回転できるように連結され、前記固定板３２の右端には四つの吸盤３３が固定的に連結され、前記吸盤３３の中には右方に開口した吸盤空間３４が設置され、前記吸盤３３の左端には連結管３１が連結され、前記連結管３１の左端が前記空き空間４０の中に延びており、前記連結管３１の左端にはバルブ３０が固定的に連結され、四つの前記吸盤３３をＵＳＢインターフェースの周りの壁に貼り付け、前記気体ノズル３６がＵＳＢインターフェースの中に延びた後、前記ポンプ２９を始動し、前記バルブ３０と前記連結管３１とにより前記吸盤空間３４の中の空気を吸い出し、前記吸盤３３を壁に貼り付けて前記固定板３２と前記固定ブロック３７とを固定する。
【００１５】
有益的には、前記バルブ３０が前記ポンプ２９に通電できるように連結され、前記ポンプ２９が旋転しないとき、前記ポンプ２９が始動されて前記バルブ３０と前記ポンプ２９とを連結し、前記吸盤３３がＵＳＢインターフェースの周りの壁に貼り付けられるまで、前記ポンプ２９が前記バルブ３０と前記連結管３１とにより前記吸盤空間３４の中から吸気し、前記ポンプ２９が前記バルブ３０と前記連結管３１とにより前記吸盤空間３４の中に気体を入れることにより前記吸盤３３をＵＳＢインターフェースの周りの壁から離脱させ、このとき前記気体ノズル３６をＵＳＢインターフェース内から取り出すことができる。
【００１６】
下記に図１〜５に合わせて本願発明の情報伝達インターフェース用除塵装置の使用ステップを詳しく説明する：
【００１７】
初期状態では、手動板１６が下極限位置にあり、この時切り換え歯車２１が従動歯車１７と噛み合っている。
使用するとき、気体ノズル３６をＵＳＢインターフェースの中に挿入し、この時吸盤３３がＵＳＢインターフェースの周りの壁に貼り付けられ、この時ポンプ２９を始動し、バルブ３０とポンプ２９とを連結し、バルブ３０と連結管３１とにより吸盤空間３４の中から吸気し、吸盤３３をＵＳＢインターフェースの周りの壁に貼り付け、固定板３２と固定ブロック３７とを固定する。
駆動モーター１５を始動し、駆動軸１４によりスライド歯車１２を回転させ、切り換え歯車２１を回転させ、従動歯車１７を回転させ、旋転軸１８により連結板２７と、連結ロッド２８と、ポンプ２９、旋転管３９と、ろ過板３８と、気体ノズル３６とを回転させ、この時ポンプ２９が始動されて旋転管３９と、ろ過板３８と貫通穴３５とによりＵＳＢインターフェースの中に噴気し、気体ノズル３６が旋転すると同時にＵＳＢインターフェースの中に噴気し、除塵効果を高める。
手動板１６を上方へスライドさせ、駆動モーター１５と、駆動軸１４とによりスライド歯車１２を上方へスライドさせ、切り換え歯車２１と支持ロッド２４とを押して後ろへスライドさせて圧縮ばね２５を圧縮し、この時従動歯車１７が切り換え歯車２１との噛合から離脱し、この時スライド歯車１２が従動歯車１７と噛み合い、この時駆動モーター１５を始動し、駆動軸１４によりスライド歯車１２を回転させ、従動歯車１７を回転させ、この時従動歯車１７の回転方向が逆であり、旋転軸１８により連結板２７と、連結ロッド２８と、ポンプ２９と、旋転管３９と、ろ過板３８と、気体ノズル３６とを回転させ、この時ポンプ２９が始動されて吸気し、旋転管３９と、ろ過板３８と貫通穴３５とによりＵＳＢインターフェース内から吸気し、埃を貫通穴３５の中に吸引してろ過板３８に貼り付ける。
除塵した後、駆動モーター１５を止めて手動板１６を下方へスライドさせ、圧縮ばね２５の弾力作用により支持ロッド２４と切り換え歯車２１とを押して前方へスライドさせ、切り換え歯車２１と従動歯車１７とを改めて噛み合わせ、この時ポンプ２９が回転停止し、この時ポンプ２９を始動し、バルブ３０とポンプ２９とを連結し、バルブ３０と連結管３１とにより吸盤空間３４の中に噴気し、吸盤３３をＵＳＢインターフェースの周りの壁と離脱させ、この時気体ノズル３６をＵＳＢインターフェースから取り出すことができ、この時ろ過板３８を洗浄すればよい。
【００１８】
以上の方式により、当業者が本願発明の範囲内において作業モジュールにより各種の変更を行うことができる。
【要約】
【課題】本発明は情報伝達インターフェース用除塵装置を開示した。
【解決手段】
手持ちロッドを含み、前記手持ちロッドの中には切り換え構造が設置され、前記切り換え構造は前記手持ちロッドの中に設置された歯車空間を含み、前記歯車空間の中にはスライド歯車と、切り換え歯車と、従動歯車とが回転できるように設置され、前記スライド歯車が下側に位置しており、前記従動歯車が上側に位置しており、前記切り換え歯車が前記スライド歯車と前記従動歯車との間に位置しており、前記スライド歯車が前記切り換え歯車と噛み合っており、前記従動歯車が前記切り換え歯車と噛み合っており、前記歯車空間の後側内壁にはばね溝が前記歯車空間と連通するように形成され、前記ばね溝の中には支持ロッドがスライドできるように設置されている。
【選択図】図１【図１】
0006853433.tif 000002
【図２】
0006853433.tif 000003
【図３】
0006853433.tif 000004
【図４】
0006853433.tif 000005
【図５】
0006853433.tif 000006